(57)【要約】【課題】  処理装置に過大な負担を負わせることなく、容易にレイアウトの変更が可能。【解決手段】  伝送路４を介して取得する情報に基づいて画像を形成する画像形成装置１において、画像の取得に必要な情報が含まれている書式情報を前記伝送路を介して受信する受信部１０２と、受信した書式情報から画像取得情報を取得する解析部１０３と、取得した画像取得情報に基づいて、前記伝送路を介して接続する処理サーバから画像情報を取得する画像情報取得部１０６と、取得した画像情報と、書式情報とに基づいて、画像形成情報を生成する画像形成情報生成部１０８と、生成した画像形成情報に基づいて画像形成を行う画像形成部１０９とを備える。【選択図】        図１
2007055133.tif 000002
【特許請求の範囲】
【請求項１】
伝送路を介して取得する情報に基づいて画像を形成する画像形成装置において、
画像の取得に必要な情報が含まれている書式情報を前記伝送路を介して受信する受信部と、
受信した書式情報から画像取得情報を取得する解析部と、
取得した画像取得情報に基づいて、前記伝送路を介して接続する処理サーバから画像情報を取得する画像情報取得部と、
取得した画像情報と、書式情報とに基づいて、画像形成情報を生成する画像形成情報生成部と、
生成した画像形成情報に基づいて画像形成を行う画像形成部と、を備えることを特徴とする画像形成装置。
【請求項２】
前記書式情報には、予め画像が示されていることを特徴とする請求項１記載の画像形成装置。
【請求項３】
前記伝送路は、ＩＰネットワークであり、
前記書式情報はＨＴＭＬで示されており、前記画像取得情報には前記処理サーバにおけるＵＲＬが示されていることを特徴とする請求項１記載の画像形成装置。
【請求項４】
前記書式情報には、前記処理サーバにおいて前記画像情報の取得を許可するために必要な鍵情報が含まれており、
前記解析部は、前記書式情報から鍵情報を取得し、
前記画像情報取得部は、取得した鍵情報を前記処理サーバからの認証要求に応じて通知することを特徴とする請求項１記載の画像形成装置。
【請求項５】
伝送路に接続しており、画像の取得に必要な情報が含まれている書式情報を出力する処理装置と、
前記伝送路に接続しており、保持している画像情報を前記書式情報に含まれる画像取得情報に基づく取得要求に応じて出力する処理サーバと、
前記書式情報を前記伝送路を介して受信する受信部と、受信した書式情報から前記画像取得情報を取得する解析部と、取得した画像取得情報に基づいて、前記処理サーバから画像情報を取得する画像情報取得部と、取得した画像情報と、書式情報とに基づいて、画像形成情報を生成する画像形成情報生成部と、生成した画像形成情報に基づいて画像形成を行う画像形成部とを有する画像形成装置と、
を備えることを特徴とする画像形成システム。
【請求項６】
前記書式情報には、予め画像が示されていることを特徴とする請求項５記載の画像形成システム。
【請求項７】
前記伝送路は、ＩＰネットワークであり、
前記書式情報はＨＴＭＬで示されており、前記画像取得情報には前記処理サーバにおけるＵＲＬが示されていることを特徴とする請求項５記載の画像形成システム。
【請求項８】
前記書式情報には、前記処理サーバにおいて前記画像情報の取得を許可するために必要な鍵情報が含まれており、
前記処理サーバは、前記画像情報の出力に先立ち、前記鍵情報を取得し、取得した鍵情報に基づいて認証を行う認証部を備えており、
前記解析部は、前記書式情報から鍵情報を取得し、
前記画像情報取得部は、取得した鍵情報を前記認証部からの認証要求に応じて通知することを特徴とする請求項５記載の画像形成システム。
【発明の詳細な説明】
【技術分野】
【０００１】
本発明は、ネットワーク構築される画像形成装置および画像形成システムに関するものである。
【背景技術】
【０００２】
プリンタなどの画像形成装置は、ＬＡＮ（Ｌｏｃａｌ Ａｒｅａ Ｎｅｔｗｏｒｋ）やＷＡＮ（Ｗｉｄｅ Ａｒｅａ Ｎｅｔｗｏｒｋ）と称されるネットワークに接続されている。当該ネットワークにはパーソナルコンピュータなどの処理装置が多数接続されており、該各処理装置はネットワークを介して画像形成装置で画像を形成することができ、画像形成装置の共有化が図られている。
【０００３】
前記したようなネットワークを介して行う画像形成は、例えば処理装置で、画像形成装置で画像形成するために必要な情報を用意し、所定の印刷単位として例えば１ページ毎に用意した情報をネットワークを介して画像形成装置に出力する。画像形成装置は、処理装置からの情報に基づいて印刷処理を行って画像を形成する。
【０００４】
ところで、印刷処理に必要な全ての情報を処理装置で用意する他に、例えば特許文献１には、画像や書式を予め画像形成装置に登録し、その後画像形成装置で、登録した情報と、処理装置から送られてくる情報とに基づいて印刷処理のための情報を生成し、該情報に基づいて印刷処理を行って画像形成することが開示されている。
【特許文献１】特開平７−２３４８６５号公報
【発明の開示】
【発明が解決しようとする課題】
【０００５】
ところで、前記した特許文献１に開示されているように、画像形成装置に書式を予め保持していると、容易に書式の変更を行うことができず、文書や画像のレイアウトの変更を自由に行うことができない。一方、処理装置でレイアウト変更を自由に行うべく、印刷処理に必要な全ての情報を保持させ、該情報を処理装置から画像形成装置へ出力し、画像形成装置で画像処理を行って画像を形成すると、処理装置で多くの情報を保持する必要があり、また表示に比べ画像形成のための処理は負荷が大きく、処理装置に過大な負担を強いることが問題となっていた。
【０００６】
従って、前記した課題に鑑みて、本発明の目的は、処理装置に過大な負担を負わせることなく、容易にレイアウトの変更が可能の画像形成装置および画像形成システムを提供することにある。
【課題を解決するための手段】
【０００７】
本発明は、以上の点を解決するために、次の構成を採用する。
【０００８】
〈構成１〉
伝送路を介して取得する情報に基づいて画像を形成する画像形成装置において、画像の取得に必要な情報が含まれている書式情報を前記伝送路を介して受信する受信部と、受信した書式情報から画像取得情報を取得する解析部と、取得した画像取得情報に基づいて、伝送路を介して接続する処理サーバから画像情報を取得する画像情報取得部と、取得した画像情報と、書式情報とに基づいて、画像形成情報を生成する画像形成情報生成部と、生成した画像形成情報に基づいて画像形成を行う画像形成部と、を備えることを特徴とする。
【０００９】
〈構成２〉
書式情報には、予め画像が示されていることを特徴とする。
〈構成３〉
伝送路は、ＩＰネットワークであり、書式情報はＨＴＭＬで示されており、画像取得情報には処理サーバにおけるＵＲＬが示されていることを特徴とする。
〈構成４〉
書式情報には、処理サーバにおいて画像情報の取得を許可するために必要な鍵情報が含まれており、解析部は、書式情報から鍵情報を取得し、画像情報取得部は、取得した鍵情報を処理サーバからの認証要求に応じて通知することを特徴とする。
【００１０】
〈構成５〉
伝送路に接続しており、画像の取得に必要な情報が含まれている書式情報を出力する処理装置と、伝送路に接続しており、保持している画像情報を書式情報に含まれる画像取得情報に基づく取得要求に応じて出力する処理サーバと、書式情報を伝送路を介して受信する受信部と、受信した書式情報から画像取得情報を取得する解析部と、取得した画像取得情報に基づいて、処理サーバから画像情報を取得する画像情報取得部と、取得した画像情報と、書式情報とに基づいて、画像形成情報を生成する画像形成情報生成部と、生成した画像形成情報に基づいて画像形成を行う画像形成部とを有する画像形成装置と、を備えることを特徴とする。
【発明の効果】
【００１１】
本発明によれば、画像形成装置が書式情報を受信すると、該書式情報に含まれる画像取得情報に基づいて、処理サーバから画像情報を取得し、取得した画像情報と書式情報とに基づいて画像形成情報を生成して、該画像形成情報に基づいて画像を形成することにより、画像形成装置に書式情報を予め登録する必要がないことから、書式情報の出力元で当該書式情報の内容を自由に変更することができ、これによりレイアウトを容易に変更することができる。更に、画像形成情報を生成するための各情報を処理装置および処理サーバに分散して保持することから、処理装置における負荷を軽減することができる。
【発明を実施するための最良の形態】
【００１２】
以下、本発明の実施形態について、図を用いて詳細に説明する。以下の説明では、各実施の形態に用いる図面について同一の構成要素は同一の符号を付し、かつ重複する説明は可能な限り省略する。
【実施例１】
【００１３】
実施例１の画像形成システム１０は、図１に示すように、画像形成装置としてのプリンタ１と、処理装置としてのクライアントＰＣ２と、処理サーバとしてのＷＷＷサーバ３とを備えており、各装置がＩＰ（Ｉｎｔｅｒｎｅｔ  Ｐｒｏｔｏｃｏｌ）ネットワークと称されるネットワーク４を介して接続している。
【００１４】
ところで、ネットワーク４に接続する各装置は、ｈｔｔｐ（Ｈｙｐｅｒｔｅｘｔ  Ｔｒａｎｓｆｅｒ  Ｐｒｏｔｏｃｏｌ）と称される通信プロトコルに従って通信するためのＩＰアドレスが予め割当てられており、各装置はＩＰアドレスを通信相手先として指定することで、指定した装置とＩＰ通信を行うことができる。
【００１５】
クライアントＰＣ２は、図２に示す印刷に必要な書式や印刷する内容などが示されたが示された印刷情報（書式情報）をプリンタ１へ出力する。
印刷情報には、図２に示すように、プリンタ１を制御するための制御コマンドと、ＨＴＭＬ（Ｈｙｐｅｒ  Ｔｅｘｔ  Ｍａｒｋｕｐ  Ｌａｎｇｕａｇｅ）で記述された印刷内容とが示されている。印刷内容には、文字やレイアウトなどが示されており、更にレイアウトに従って配置される画像を取得するために必要な情報が示されている。
【００１６】
尚、図２に示す印刷情報において、画像を取得するための画像取得情報は、ＨＴＭＬで記述された印刷内容において、「ＳＲＣ＝」に続く「ｈｔｔｐ：／／ｗｗｗ．＊＊＊．ｃｏｍ／ｉｍｇ／ｆｕｊｉ．ｊｐｇ」である。
【００１７】
ＷＷＷサーバ３には、「ｗｗｗ．＊＊＊．ｃｏｍ」で示されるＩＰアドレスが付与されており、該ＩＰアドレスを通信相手先として指定した装置から情報取得要求を受けたＷＷＷサーバ３は、例えば図３に示す文書を要求元の装置に通知する。ＷＷＷサーバ３は、図３に示す文書を、例えば広告、画像、文字およびレイアウトなど毎に体系化して管理しており、要求元の装置に備えたブラウザ機能による取得要求に応じて、管理する各情報を通知する。尚、要求元の装置は、取得した各情報をブラウザ機能を用いて組み合わせることで図３に示す文書を得ることができる。
【００１８】
また、情報の取得要求を行う装置は、図３に示す文書を得るために組合わせる各情報において、一部の情報のみを取得することができる。例えばＷＷＷサーバ３で保持する情報が「ｆｕｊｉ．ｊｐｇ」であり、該情報が「／ｉｍｇ／ｆｕｊｉ．ｊｐｇ」で示すように体系化されて管理されているとき、ネットワーク４に接続する装置から「ｈｔｔｐ：／／ｗｗｗ．＊＊＊．ｃｏｍ／ｉｍｇ／ｆｕｊｉ．ｊｐｇ」で示される情報の取得要求を受けたＷＷＷサーバ３は、指定された情報のみを要求元の装置に通知することができる。
【００１９】
尚、以降の説明において、ＷＷＷサーバ３で体系化して管理する文字や映像などの情報を画像情報と称し、該画像情報の取得要求を受けたＷＷＷサーバ３は、指定された画像情報を出力する例で説明する。
【００２０】
プリンタ１は、ネットワーク４に接続する各装置と通信を行うための制御を行うネットワークインタフェース１０１と、該ネットワークインタフェース１０１を介してクライアントＰＣ２から印刷情報を取得するための制御を行う受信部１０２と、印刷情報を解析してＨＴＭＬで記述された印刷内容と制御コマンドとをそれぞれ取得する解析部１０３と、取得した制御コマンドに基づく処理を行う制御コマンド処理部１０４と、ＨＴＭＬで記述された印刷内容を解析して画像取得情報を取得するＨＴＭＬ処理部１０５と、取得した画像取得情報に基づいてＷＷＷサーバ３で管理する画像情報を取得する画像情報取得部１０６と、取得した画像情報を展開してビットマップを生成する展開部１０７と、生成したビットマップをＨＴＭＬ処理部１０５からの印刷内容に合成して画像形成情報を生成し、生成した画像形成情報を生成する合成部（画像形成情報生成部）１０８と、生成された画像形成情報をラスタライズ処理してラスタデータを生成し、該ラスタデータに基づいて画像を形成するプリンタ部（画像形成部）１０９とを備える。
【００２１】
解析部１０３は、図２に示す印刷情報を解析し、制御コマンドと、印刷内容とをそれぞれ取得する。尚、解析部１０３は、印刷情報の「＜ＨＴＭＬ＞〜「／ＨＴＭＬ」で示された範囲内を印刷内容として特定し、当該印刷内容を取得し、「ＰＡＰＥＲＳＩＺＥ＝Ａ４」、「ＰＡＰＥＲＴＲＹ＝１」および「ＰＲＩＮＴ」を制御コマンドとして取得する。
【００２２】
制御コマンド処理部１０４は、解析部１０３で取得した制御コマンドに基づく印刷制御を行う。この制御で印刷情報における１行目の「ＰＡＰＥＲＳＩＺＥ＝Ａ４」で示される制御コマンドによりＡ４サイズの用紙が選択され、２行目の「ＰＡＰＥＲＴＲＡＹ＝１」で示される制御コマンドにより、図示しない給紙トレイ群において対応付けられている給紙トレイ１を選択し、最終行の「ＰＲＩＮＴ」で示される制御コマンドにより、後述する合成部１０８により画像形成情報が生成され、プリンタ部１０９で画像形成情報に基づく画像形成が行われる。
【００２３】
ＨＴＭＬ処理部１０５は、解析部１０３で取得したＨＴＭＬで記述された印刷内容を解析し、例えば別のファイルを読み出す必要のある「ＩＭＧ」タグなどを検出し、該タグ以降に記述されているリンク先のアドレスを画像取得情報として取得する。これにより、図２において、「ｓｒｃ＝」の属性で指定される「ｈｔｔｐ：／／ｗｗｗ．＊＊＊．ｃｏｍ／ｉｍｇ／ｆｕｊｉ．ｊｐｇ」で示されたリンクアドレスが画像取得情報としてＨＴＭＬ処理部１０５で取得される。
【００２４】
画像情報取得部１０６は、ＨＴＭＬ処理部１０５で取得した画像取得情報に基づいて画像情報をネットワークインタフェース１０１を介して取得する。尚、本実施例では、「ｈｔｔｐ：／／ｗｗｗ．＊＊＊．ｃｏｍ／ｉｍｇ／ｆｕｊｉ．ｊｐｇ」で示される画像取得情報に基づいて、ＷＷＷサーバ３で管理されている「／ｉｍｇ／ｆｕｊｉ．ｊｐｇ」が取得される。
【００２５】
画像情報取得部１０６で取得する画像情報は、一般的に「ＧＭＰ」や「ＪＰＧ」などの圧縮画像であり、展開部１０７は、圧縮画像の展開処理を行って、画像形成可能なビットマップデータを生成する。
【００２６】
合成部１０８は、画像情報取得部１０６で生成されたビットマップデータをＨＴＭＬ処理部１０５から取得する印刷内容に組込んで画像形成情報を生成する。
プリンタ部１０９は、合成部１０８で生成された画像形成情報に基づいて画像を形成すべく、ラスタライズ処理を行ってラスタデータを生成し、該ラスタデータに基づいて、給紙トレイ１から供給されるＡ４サイズの用紙に画像を形成する。
【００２７】
次に、実施例１の画像形成システム１０の動作を図４のフローチャートに沿って説明する。尚、図３に示す文書を構成するための情報がＷＷＷサーバ３に予め体系的に管理されていることを前提に説明を行う。
【００２８】
プリンタ1は、受信部１０２でクライアントＰＣ２からの図２に示す印刷情報をネットワークインタフェース１０１を介して取得する（ステップＳ１）。
取得した印刷情報は解析部１０３で解析される。解析部１０３は、印刷情報を解析して当該印刷情報に含まれる制御コマンドを取得すると（ステップＳ２）、制御コマンド処理部１０４は、制御コマンドに基づく制御を行う（ステップＳ３）。
【００２９】
一方、解析部１０３における解析でＨＴＭＬで記述された印刷内容を取得すると、ＨＴＭＬ処理部１０５は、取得した印刷内容を解析し、別のファイルを読み出す必要がある「ＩＭＧ」タグなどを検出する（ステップＳ４）。
【００３０】
解析部１０３において、別ファイルの読出しが必要で、当該ファイルを取得するためのリンク先のアドレス（「ｈｔｔｐ：／／ｗｗｗ．＊＊＊．ｃｏｍ／ｉｍｇ／ｆｕｊｉ．ｊｐｇ」）を画像取得情報として取得すると、画像情報取得部１０６は、取得した画像取得情報に基づいて、画像情報の取得要求をネットワークインタフェース１０１を介して行う。これにより、画像情報取得部１０６は、「／ｉｍｇ／ｆｕｊｉ．ｊｐｇ」で示される画像情報を取得する（ステップＳ５）。
【００３１】
画像情報取得部１０６で取得した画像情報は、展開部１０７で展開されビットマップデータが生成される（ステップＳ６）。
ところで、前記したステップＳ４において別ファイルを読み出す必要がない一般的なタグと判定されたタグは、当該タグに基づく処理がＨＴＭＬ処理部１０５で行われる（ステップＳ７）。
【００３２】
印刷情報に示された全ての内容を解析し、解析内容に応じた処理が終了するまで、前記したステップＳ２からの解析処理が繰返される（ステップＳ８）、
【００３３】
印刷情報に示された全ての内容を解析し、解析内容に応じた処理終了すると、合成部１０８は、展開部１０７で生成されたビットマップデータを印刷内容に組込んだ画像形成情報を生成する（ステップＳ９）。
【００３４】
プリンタ部１０９は、合成部１０８で生成した画像形成情報をラスタライズ処理し、ラスタデータを生成すると、該ラスタデータに基づいて、制御コマンドで選定された給紙トレイから給紙されるＡ４の用紙に画像を形成する。これにより、図５に示す画像が形成される（ステップＳ１０）。
【００３５】
前記したように、実施例１の画像形成システム１０によれば、画像情報を予めＷＷＷサーバ３に保持させておき、クライアントＰＣ２から画像取得情報を含む印刷情報を取得すると、該印刷情報を解析して画像取得情報を取得する。そして、取得した画像取得情報に基づいてＷＷＷサーバ３で管理されている画像情報を取得し、該画像情報を展開して得るビットマップデータを組込んだ画像形成情報生成し、該画像形成情報に基づく印刷処理を行って用紙に画像を形成する。
【００３６】
これにより、実施例１の画像形成システム１０によれば、印刷処理に必要な書式をプリンタ１に予め保持させないことから、印刷情報を生成するオペレータにより、任意に指定される書式でもって画像を形成することができ、書式（レイアウト）の変更を容易に行うことができる。
【００３７】
更に、実施例１の画像形成システム１０によれば、印刷処理を行うめの画像形成情報を生成するために必要な情報をクライアントＰＣ２およびＷＷＷサーバ３に分散させて管理させることから、クライアントＰＣ２に全情報を保持させる必要がなく、クライアントＰＣ２における負荷を軽減することができる。
【実施例２】
【００３８】
次に、画像情報の取得認証に必要な鍵情報が含まれた印刷情報に基づいて印刷処理を行う画像形成システム２０を説明する。
実施例２の画像形成装置は、図６に示すように、実施例１と同様にネットワーク４を介してクライアントＰＣ２が接続しており、更にネットワーク４に実施例２のＷＷＷサーバ５およびプリンタ６が接続する。
【００３９】
実施例２のＷＷＷサーバ５は、前記した実施例１のＷＷＷサーバ３と同様の機能に加えて、プリンタ６から画像情報の取得要求を受けると、当該プリンタ６に対し、後述する鍵情報の取得要求を行い、取得した鍵情報と予め保持する認証情報とに基づいて取得認証を行う。
【００４０】
尚、取得認証は、ＩＤに対応付けられたパスワードの一致でもって確認が行われており、おり、ＷＷＷサーバ５は、ＩＤに対応付けられたパスワードを認証情報として予め保持する。
【００４１】
実施例２のプリンタ６は、図６に示すように、実施例１と同様のネットワークインタフェース１０１、受信部１０２、制御コマンド処理部１０４、ＨＴＭＬ処理部１０５、展開部１０７、合成部１０８およびプリンタ部１０９を備えており、更に印刷情報を解析して、該印刷情報に含まれるスクリプトを取得するための機能を新たに備えた解析部２０３と、取得したスクリプトに基づく処理を実行し、該スクリプトに含まれたＩＤおよびパスワードを取得するスクリプト処理部２０９と、取得したＩＤおよびパスワードを鍵情報として一時的に保持する一時記憶部２１０と、画像情報をＷＷＷサーバ５から取得するとき、該ＷＷＷサーバ５から鍵情報の取得要求を受けると、一時記憶部２１０で保持する鍵情報をＷＷＷサーバ５へ通知する機能を備えた画像情報取得部２０６とを備える。
【００４２】
解析部２０３は、受信部１０２で図７に示す印刷情報を受信部１０２から取得すると、該印刷情報を解析し、制御コマンドと、印刷内容とをそれぞれ取得する。更に、解析部２０３は、取得したＨＴＭＬで記述された印刷内容において、実施例１と同様に「ｈｔｔｐ：／／ｗｗｗ．＊＊＊．ｃｏｍ／ｉｍｇ／ｆｕｊｉ．ｊｐｇ」で示されたリンクアドレスを画像取得情報として取得すると共に、スクリプトを取得する。尚、解析部２０３は、印刷内容において、例えば「＜！――ＡＣＣＳＦＯＲＭ−ＳＣＲＩＰＴ」と「――＞」との間に示された内容をスクリプトとして取得する。これにより、本実施例において、「＜！――ＡＣＣＳＦＯＲＭ−ＳＣＲＩＰＴ  ＩＤ＝″０１２３″，ＰＡＳＳ＝″ＡＢＣＤ″――＞」がスクリプトとして取得される。
【００４３】
スクリプト処理部２０９は、解析部２０３で取得したスクリプトに基づく処理を行い、スクリプト文に示されたＩＤとパスワードとを取得する。尚、本実施例では、ＩＤとして「０１２３」、パスワードとして「ＡＢＣＤ」がスクリプト処理部２０９で取得される。スクリプト処理部２０９は、取得したＩＤおよびパスワードを鍵情報として一時記憶部２１０に保持する。
【００４４】
画像情報取得部２０６は、解析部２０３で取得する画像取得情報に基づいて画像情報の取得要求を行う。この要求を受けたＷＷＷサーバ５は、プリンタ６に鍵情報の取得要求を行っており、該要求を受けた画像情報取得部２０６は、一時記憶部２１０で保持する鍵情報をＷＷＷサーバ５に通知する。
【００４５】
尚、ＷＷＷサーバ５は、取得した鍵情報と予め保持する認証情報とに基づいて、画像情報の取得認証を行っており、認証後に体系的に管理している画像情報をプリンタ６に通知する。
【００４６】
次に、実施例２の画像形成システム２０の動作を図８のフローチャートに沿って説明する。
プリンタ1は、受信部１０２でクライアントＰＣ２からの図７に示す印刷情報をネットワークインタフェース１０１を介して取得する（ステップＳ２１）。
取得した印刷情報は解析部２０３で解析される。解析部２０３は、印刷情報を解析して当該印刷情報に含まれる制御コマンドを取得すると（ステップＳ２２）、制御コマンド処理部１０４は、制御コマンドに基づく制御を行う（ステップＳ２３）。
【００４７】
一方、解析部２０３における解析でＨＴＭＬで記述された印刷内容を取得すると、取得した印刷内容を更に解析してスクリプトの取得を行う。印刷内容にスクリプトが含まれており（ステップＳ２４）、該スクリプトを取得した解析部２０３は、取得したスクリプトをスクリプト処理部２０９に出力する。
【００４８】
スクリプト処理部２０９は、取得したスクリプトに基づいてスクリプト処理を行って、ＩＤおよびパスワードを取得すると、該ＩＤおよびパスワードを鍵情報として一時記憶部２１０に保持させる（ステップＳ２５）。
【００４９】
ところで、解析部２０３で取得した印刷内容は、ＨＴＭＬ処理部１０５で解析され、この解析で別のファイルを読み出す必要がある「ＩＭＧ」タグなどの検出が行われる（ステップＳ２６）。
【００５０】
解析部２０３は、別ファイルの読み出しを示す「ＩＭＧ」タグなどを検出すると、当該タグによって示されている別ファイルを読み出すためのリンク先のアドレス（「ｈｔｔｐ：／／ｗｗｗ．＊＊＊．ｃｏｍ／ｉｍｇ／ｆｕｊｉ．ｊｐｇ」）を画像取得情報として取得する。
【００５１】
画像情報取得部１０６は、解析部２０３で取得した画像取得情報に基づいて、画像情報の取得要求をネットワークインタフェース１０１を介して行う。
【００５２】
ところで、画像情報の取得要求を受けたＷＷＷサーバ５は、プリンタ６に対し鍵情報の取得要求を行う。要求を受けたプリンタ１の画像情報取得部２０６は、一時記憶部２１０で保持する鍵情報をネットワークインタフェース１０１を介してＷＷＷサーバ５に通知する。
【００５３】
ＷＷＷサーバ５は、取得した鍵情報と、予め保持している認証情報とに基づいて取得認証を行った後、要求された画像情報をプリンタ６に出力する。プリンタ６の画像情報取得部１０６は、「／ｉｍｇ／ｆｕｊｉ．ｊｐｇ」で示される画像情報を取得する（ステップＳ２７）。
【００５４】
画像情報取得部１０６で取得した画像情報は、展開部１０７で展開されビットマップデータが生成される（ステップＳ２８）。
ところで、前記したステップＳ２６において別ファイルを読み出す必要がない一般的なタグと判定されたタグは、当該タグに基づく処理がＨＴＭＬ処理部１０５で行われる（ステップＳ２９）。
【００５５】
印刷情報に示された全ての内容を解析し、解析内容に応じた処理が終了するまで、前記したステップＳ２２からの解析処理が繰返される（ステップＳ３０）、
【００５６】
印刷情報に示された全ての内容を解析し、解析内容に応じた処理終了すると、合成部１０８は、展開部１０７で生成されたビットマップデータを印刷内容に組込んだ画像形成情報を生成する（ステップＳ３１）。
【００５７】
プリンタ部１０９は、合成部１０８で生成した画像形成情報をラスタライズ処理し、ラスタデータを生成すると、該ラスタデータに基づいて、制御コマンドで選定された給紙トレイから給紙されるＡ４の用紙に画像を形成する。これにより、図５に示す画像が形成される（ステップＳ３２）。
【００５８】
前記したように、実施例２の画像形成システム２０によれば、印刷情報から取得するスクリプトに基づいて処理を行って鍵情報を取得して保持し、画像情報をＷＷＷサーバ５から取得するとき、該ＷＷＷサーバ５からの要求に応じて保持する鍵情報を出力する。鍵情報を取得したＷＷＷサーバ５は、当該鍵情報と予め保持する認証情報とに基づいて取得認証を行い、認証後に保持する画像情報をプリンタに出力することから、ＷＷＷサーバ５で保持する画像情報の不正取得を防止することができる。
【産業上の利用可能性】
【００５９】
前記した実施例では、画像形成装置としてプリンタを例に説明をおこなったが、これに限る必要はなく、例えばファクシミリや複合機（ＭＦＰ）などに本発明を適用することができる。
【００６０】
また、前記した実施例では、ＷＷＷサーバから読み出す画像情報は、映像に限る必要はなく、プリンタで画像形成可能な文字、数値およびフォントなどの文字情報や広告情報などを画像情報として読み出すようにしてもよい。
【００６１】
実施例２の画像形成システムでは、ＩＤおよびパスワードを鍵情報としてプリンタからＷＷＷサーバへ通知する例で説明したが、鍵情報にプリンタに付与された当該装置固有の識別番号を含ませ、当該識別番号に基づく取得認証をＷＷＷサーバで行うようにしてもよい。
【図面の簡単な説明】
【００６２】
【図１】実施例１の画像形成システムのブロック図である。
【図２】実施例１の印刷情報を示す図である。
【図３】ＷＷＷサーバで保持する文書を示す図である。
【図４】実施例１の画像形成システムの動作を示すフローチャートである。
【図５】プリンタからの出力結果を示す図である。
【図６】実施例２の画像形成システムのブロック図である。
【図７】実施例２の印刷情報を示す図である。
【図８】実施例２の画像形成システムの動作を示すフローチャートである。
【符号の説明】
【００６３】
１  プリンタ
２  クライアントＰＣ
３  ＷＷＷサーバ
４  ネットワーク
１０  画像形成システム
１０１  ネットワークインタフェース
１０２  受信部
１０３  解析部
１０４  制御コマンド処理部
１０５  ＨＴＭＬ処理部
１０６  画像情報取得部
１０７  展開部
１０８  合成部
１０９  プリンタ部
【図１】
2007055133.tif 000003
【図２】
2007055133.tif 000004
【図３】
2007055133.tif 000005
【図４】
2007055133.tif 000006
【図５】
2007055133.tif 000007
【図６】
2007055133.tif 000008
【図７】
2007055133.tif 000009
【図８】
2007055133.tif 000010